(57)【要約】【課題】  フレームの熱を効果的に放熱器に伝達することができる記録ヘッド及びこの記録ヘッドを備えた記録装置を提供する。【解決手段】  ワイヤレバー４７に保持された記録ワイヤ３５と、記録ワイヤ３５を駆動する電磁コイル５４と、電磁コイル５４が装着されるコア５３が形成されたフレーム４３Ａと、電磁コイル５４の熱を外気に放散させる放熱器４２と、を備え、フレーム４３Ａが放熱器４２の嵌合部としての開口部４２Ａに嵌合され、フレーム４３Ａと放熱器４２とが一体的に構成された記録ヘッド１８において、フレーム４３Ａの外周の一部に張り出し部７１を設けるとともに、放熱器４２の開口部４２Ａに、張り出し部７１の端面と面接触する段部７２を設けた。【選択図】      図６
2005178067.tif 000002
【特許請求の範囲】
【請求項１】
ワイヤレバーに保持された記録ワイヤと、前記記録ワイヤを駆動する電磁コイルと、前記電磁コイルが装着されるコアが形成されたフレームと、前記電磁コイルの熱を外気に放散させる放熱器と、を備え、前記フレームが前記放熱器の嵌合部に嵌合されて、前記フレームと前記放熱器とが一体的に構成された記録ヘッドにおいて、
前記フレームの外周の一部に張り出し部を設けるとともに、前記放熱器の前記嵌合部に、前記張り出し部の端面と面接触する段部を設けたことを特徴とする記録ヘッド。
【請求項２】
請求項１に記載の記録ヘッドにおいて、
多段に重ねられた複数のフレームを備え、
前記複数のフレームのうち、少なくとも１つのフレームの外周の一部に前記張り出し部を設けたことを特徴とする記録ヘッド。
【請求項３】
請求項１又は請求項２に記載の記録ヘッドにおいて、
前記フレームは、記録ワイヤを案内するノーズに固定され、
前記ノーズは、前記フレームを前記嵌合部に嵌合したときに前記放熱器に固定される固定部を有し、
前記張り出し部の前記端面と前記段部とが面接触した場合、前記固定部と前記放熱器とが隙間を空けて対向することを特徴とする記録ヘッド。
【請求項４】
請求項１乃至請求項３のいずれか一項に記載の記録ヘッドにおいて、
前記ノーズに対して前記フレームを締結する固定ばねを備え、
前記張り出し部が、前記固定ばねを避ける位置に設けられていることを特徴とする記録ヘッド。
【請求項５】
プラテンに沿って往復駆動されるキャリッジに記録ヘッドが搭載され、前記記録ヘッドの記録ワイヤの突出動作により、インクリボンを介して前記プラテン上に搬送されたシートに画像を記録する記録装置において、
前記記録ヘッドは、
前記記録ワイヤを駆動する電磁コイルと、前記電磁コイルが装着されるコアが形成されたフレームと、前記電磁コイルの熱を外気に放散させる放熱器と、を備え、前記フレームが前記放熱器の嵌合部に嵌合されて、前記フレームと前記放熱器とが一体的に構成され、
前記フレームの外周の一部に張り出し部を設けるとともに、前記放熱器の前記嵌合部に、前記張り出し部の端面と面接触する段部を設けたことを特徴とする記録装置。
【請求項６】
請求項５に記載の記録装置において、
前記記録ヘッドは、
多段に重ねられた複数のフレームを備え、
前記複数のフレームのうち、少なくとも１つのフレームの外周の一部に前記張り出し部を設けたことを特徴とする記録装置。
【請求項７】
請求項５又は請求項６に記載の記録装置において、
前記記録ヘッドの前記フレームは、記録ワイヤを案内するノーズに固定され、
前記ノーズは、前記フレームを前記嵌合部に嵌合したときに前記放熱器に固定される固定部を有し、
前記張り出し部の前記端面と前記段部とが面接触した場合、前記固定部と前記放熱器とが隙間を空けて対向することを特徴とする記録装置。
【請求項８】
請求項５乃至請求項７のいずれか一項に記載の記録装置において、
前記記録ヘッドは、
前記ノーズに対して前記フレームを締結する固定ばねを備え、
前記張り出し部が、前記固定ばねを避ける位置に設けられていることを特徴とする記録装置。
【発明の詳細な説明】
【技術分野】
【０００１】
フレームが放熱器に嵌合される記録ヘッド及びこの記録ヘッドを備えた記録装置に関する。
【背景技術】
【０００２】
一般に、プラテンに沿って往復駆動されるキャリッジに記録ヘッドが搭載され、記録ヘッドの記録ワイヤの突出動作により、インクリボンを介してプラテン上に搬送されたシートに画像を記録する記録装置が知られている。
【０００３】
この種の記録装置の記録ヘッドは、コアが形成されたフレームと、コアに装着され、ワイヤレバーを介して記録ワイヤを駆動する電磁コイルと、を備えている。この記録ワイヤを駆動する際には、電磁コイルへ通電するように構成されているが、この電磁コイルへの通電により電磁コイルが発熱するため、この発生した熱を放熱させるべく、フレームが放熱器の嵌合部に嵌合される。これにより、電磁コイルで発生した熱は、フレームを介して放熱器に伝達され、この放熱器により放熱される。ここで、フレームを放熱器の嵌合部に嵌合した場合、フレームの外周面と放熱器の内周面との間には隙間が生じるので、フレームから放熱器への熱伝達を向上させるために、フレームの外周面と放熱器の内周面との隙間に、熱伝導性の良好な部材としてシリコングリース等を充填させたものがある（例えば、特許文献１参照）。
【特許文献１】特許第２８５５７４２号公報
【発明の開示】
【発明が解決しようとする課題】
【０００４】
しかしながら、上記記録装置において、スループットを向上させるべく、記録ヘッドにおける記録速度の高速化を図る場合、記録ヘッドにおいて発熱量が増加してしまうため、フレームの外周面と放熱器の内周面との間にシリコングリース等を充填しても、シリコングリースを介した放熱器への熱伝達量を上回って記録ヘッドの発熱量が増加してしまう場合がある。このような場合には、フレームの熱が放熱器に十分に伝達されず、記録ヘッドに熱がこもり、記録ヘッドの温度が過剰に上昇してしまうこととなってしまうため、記録ヘッドにおける記録速度の更なる高速化を図ることができなかった。
【０００５】
そこで、本発明の目的は、上述した従来の技術が有する課題を解消し、フレームの熱を効果的に放熱器に伝達することができる記録ヘッド及びこの記録ヘッドを備えた記録装置を提供することにある。
【課題を解決するための手段】
【０００６】
上記課題を解決するため、本発明は、ワイヤレバーに保持された記録ワイヤと、前記記録ワイヤを駆動する電磁コイルと、前記電磁コイルが装着されるコアが形成されたフレームと、前記電磁コイルの熱を外気に放散させる放熱器と、を備え、前記フレームが前記放熱器の嵌合部に嵌合されて、前記フレームと前記放熱器とが一体的に構成された記録ヘッドにおいて、前記フレームの外周の一部に張り出し部を設けるとともに、前記放熱器の前記嵌合部に、前記張り出し部の端面と面接触する段部を設けたことを特徴とするものである。
【０００７】
上記記録ヘッドにおいて、多段に重ねられた複数のフレームを備え、前記複数のフレームのうち、少なくとも１つのフレームの外周の一部に前記張り出し部を設けてもよい。
【０００８】
また、上記記録ヘッドにおいて、前記フレームは、記録ワイヤを案内するノーズに固定され、前記ノーズは、前記フレームを前記嵌合部に嵌合したときに前記放熱器に固定される固定部を有し、前記張り出し部の前記端面と前記段部とが面接触した場合、前記固定部と前記放熱器とが隙間を空けて対向するようにしてもよい。
【０００９】
更に、上記記録ヘッドにおいて、前記ノーズに対して前記フレームを締結する固定ばねを備え、前記張り出し部が、前記固定ばねを避ける位置に設けられていてもよい。
【００１０】
また、プラテンに沿って往復駆動されるキャリッジに記録ヘッドが搭載され、前記記録ヘッドの記録ワイヤの突出動作により、インクリボンを介して前記プラテン上に搬送されたシートに画像を記録する記録装置において、前記記録ヘッドは、前記記録ワイヤを駆動する電磁コイルと、前記電磁コイルが装着されるコアが形成されたフレームと、前記電磁コイルの熱を外気に放散させる放熱器と、を備え、前記フレームが前記放熱器の嵌合部に嵌合されて、前記フレームと前記放熱器とが一体的に構成され、前記フレームの外周の一部に張り出し部を設けるとともに、前記放熱器の前記嵌合部に、前記張り出し部の端面と面接触する段部を設けたことを特徴としている。
【００１１】
上記記録装置において、前記記録ヘッドは、多段に重ねられた複数のフレームを備え、前記複数のフレームのうち、少なくとも１つのフレームの外周の一部に前記張り出し部を設けてもよい。
【００１２】
また、上記記録装置において、前記記録ヘッドの前記フレームは、記録ワイヤを案内するノーズに固定され、前記ノーズは、前記フレームを前記嵌合部に嵌合したときに前記放熱器に固定される固定部を有し、前記張り出し部の前記端面と前記段部とが面接触した場合、前記固定部と前記放熱器とが隙間を空けて対向するようにしてもよい。
【００１３】
更に、上記記録装置において、前記記録ヘッドは、前記ノーズに対して前記フレームを締結する固定ばねを備え、前記張り出し部が、前記固定ばねを避ける位置に設けられていてもよい。
【発明の効果】
【００１４】
本発明によれば、記録ヘッドにおけるフレームの熱を効果的に放熱器に伝達することができる。
【発明を実施するための最良の形態】
【００１５】
以下、本発明の実施形態を添付の図面を参照して説明する。
【００１６】
［１］第１実施形態
図１は、本発明に係る記録装置の第１実施形態が適用されたドットインパクトプリンタのプリンタ本体を示す斜視図である。図２は、図１のプリンタ本体を示す側断面図である。
【００１７】
これらの図に示す記録装置としてのプリンタ１０は、記録ヘッド１８の複数の記録ワイヤを、インクリボン３１を介してシートＳに打ち付けてドットを記録することにより、文字を含む画像を記録するドットインパクトプリンタである。ここで、シートＳは、単票紙や連続紙などの普通紙の他に、通帳や葉書、封筒などである。特に、上記単票紙は単票複写紙を含み、連続紙は連続複写紙を含む。
【００１８】
上記プリンタ１０は、図１に示すように、記録装置本体としてのプリンタ本体１１と、このプリンタ本体１１に着脱自在に装着されたプッシュトラクタユニット１２及び排出ユニット１３と、同じくプリンタ本体１１に着脱自在に装着されたシート供給ガイド３４（図２）と、プリンタ本体１１の上方、下方をそれぞれ覆う図示しないアッパーケース及びロアケースと、を有して構成される。
【００１９】
上記プリンタ本体１１は、本体フレームとしてのベースフレーム１４、シート案内フレーム１５（図２）、左サイドフレーム１６及び右サイドフレーム１７と、記録ヘッド１８及びキャリッジ１９を備えた印刷機構部２０と、プラテン２１、シート案内２２及びピンチローラ２５（図２）を備えたシート搬送機構部２３と、を有して構成される。
【００２０】
ベースフレーム１４及びシート案内フレーム１５は、図２に示すようにほぼ平行配置され、これらのベースフレーム１４及びシート案内フレーム１５の両端に上記左サイドフレーム１６、右サイドフレーム１７がそれぞれ立設して固定される。これらの左サイドフレーム１６と右サイドフレーム１７間に、図１に示すように、キャリッジ軸２４が架け渡されて回動可能に枢支され、プラテン２１が架け渡されて回転自在に配設されている。シート案内２２は、左サイドフレーム１６と右サイドフレーム１７との間に配設されて、シート案内フレーム１５に嵌合して固定されている。また、左サイドフレーム１６及び右サイドフレーム１７の後方部、上方部それぞれには、前記プッシュトラクタユニット１２、排出ユニット１３をそれぞれ装着可能な図示しないトラクタユニット装着部、排出ユニット装着部が設けられている。
【００２１】
図１に示すプッシュトラクタユニット１２は、シートＳとしての連続紙をシート搬送機構部２３へ送り出し、シート供給ガイド３４は、シートＳとしての単票紙を１枚ずつ（連続単票紙の場合には１綴りずつ）シート搬送機構部２３へ供給する。また、排出ユニット１３は、連続紙又は単票紙をシート搬送機構部２３からプリンタ１０外へ引き出すものである。
【００２２】
つまり、図２に示すように、プッシュトラクタユニット１２のトラクタベルト２６の回転により、このトラクタベルト２６のピン２７の作用で、連続紙は、シート搬送機構部２３のシート案内２２に案内され、このシート案内２２とプラテン２１との間に形成されるシート搬送経路２８を経てプラテン２１の前方へ向かい、矢印α方向に送給される。このプッシュトラクタユニット１２の非動作時に、シート供給ガイド３４から単票紙が１枚ずつ（又は１綴りずつ）、シート搬送経路２８を経てプラテン２１の前方へ供給可能とされる。また、排出ユニット１３の排出ローラ２９の回転により、後述のごとく、記録ヘッド１８により文字等が記録された連続紙又は単票紙は、シート搬送機構部２３のプラテン２１から矢印β方向に引き出される。これにより、連続紙又は単票紙は、キャリッジ１９の後述の主走査方向に直交する副走査方向に搬送される。
【００２３】
図１に示す前記キャリッジ１９は、キャリッジ軸２４に摺動自在に挿通されるとともに、記録ヘッド１８を搭載する。キャリッジ軸２４がプラテン２１と平行に配置されることから、キャリッジ１９は、これらのプラテン２１及びキャリッジ軸２４の軸方向と一致する主走査方向に移動（走行）可能に設けられる。
【００２４】
図示しないキャリッジ駆動モータの正転又は逆転により、キャリッジ１９は、タイミングベルト３０（図２）を介しキャリッジ軸２４に案内されて、主走査方向における図１の左向き又は右向きに走行される。
【００２５】
上記記録ヘッド１８における複数の記録ワイヤの突出方向前方には、インクリボン３１が配置される。記録ヘッド１８は、キャリッジ１９とともに主走査方向に走行する間に、記録ワイヤを突出動作させてインクリボン３１に打ち当て、インクリボン３１のインクを、プラテン２１とインクリボン３１との間に搬送されるシートＳ（連続紙又は単票紙）に付着させることにより、このシートＳに文字を含む画像を記録する。
【００２６】
インクリボン３１は、リボンカートリッジ３８内に収納され、リボン巻取り軸５０により一方向に巻き取られる。このリボンカートリッジ３８は、左サイドフレーム１６と右サイドフレーム１７との間に、ベースフレーム１４に対向して着脱自在に装着されるもの（ステーショナル型）である。
【００２７】
記録ヘッド１８によるこの記録動作は、キャリッジ１９が主走査方向左向き又は右向きに走行する間に、記録ヘッド１８の記録ワイヤにより一行分の記録がなされ、この一行分の記録がなされる度に、シートＳが連続紙の場合には、図２に示すシート搬送機構部２３のプラテン２１、プッシュトラクタユニット１２及び排出ユニット１３が、また、シートＳが単票紙の場合には、シート搬送機構部２３のプラテン２１、ピンチローラ２５及び排出ユニット１３がそれぞれシートＳを所定量（通常行間分）搬送させ、これらの動作が繰り返されることにより実施される。
【００２８】
なお、図２に示す符号３２は、ベースフレーム１４とシート案内フレーム１５との間に開口して形成されて、プリンタ１０の下方からシート搬送機構部２３内へシートＳを供給するためのボトムシート供給口である。
【００２９】
次に、記録ヘッド１８について詳細に説明する。図３は、記録ヘッド１８を示す斜視図である。図４は、図３のＩＶ−ＩＶ線に沿う記録ヘッド１８の断面図である。この記録ヘッド１８は、図３及び図４に示すように、ヘッド駆動部４０がノーズ４１に連接され、ヘッド駆動部４０の外側に放熱器４２が配置されて構成される。
【００３０】
ヘッド駆動部４０は、図４に示すように、フレーム４３Ａを有する前段記録ヘッドユニット９０と、この前段記録ヘッドユニット９０と略同様の構成の後段記録ヘッドユニット９１とを備えており、前段記録ヘッドユニット９０と後段記録ヘッドユニット９１とが重ねられている２段構成のものである。つまり、前段記録ヘッドユニット９０のフレーム４３Ａと後段記録ヘッドユニット９１のフレーム４３Ｂとが２段に重ねられていることとなる。そして、前段記録ヘッドユニット９０のフレーム４３Ａと後段記録ヘッドユニット９１のフレーム４３Ｂとは、ノーズ４１に連接されている。
【００３１】
ここで、前段記録ヘッドユニット９０と後段記録ヘッドユニット９１とは、略同様の構成であるので、以下、記録ヘッドユニット９０、９１の説明において、同様の構成箇所については、前段記録ヘッドユニット９０の構成について説明し、後段記録ヘッドユニット９１において前段記録ヘッドユニット９０と同様の部分については、同一符号を付して説明を省略する。
【００３２】
前段記録ヘッドユニット９０は、略円板形状のフレーム４３Ａ（後段記録ヘッドユニット９１においては、略円板形状のフレーム４３Ｂ）を有し、このフレーム４３Ａの一方側（ノーズ４１と反対側）に、略リング形状のヨーク４４、サイドヨーク４５が順次積層して配設されるとともに、レバーホルダ４６が配置される。このレバーホルダ４６は、ワイヤレバー４７を一体的に押さえるものである。
【００３３】
フレーム４３Ａは、軟磁性材料（例えばパーメンジュールや１％ケイ素鋼などの金属）により構成され、同心円上に所定間隔を隔てて複数のコア５３が放射状に一体に形成される。これらの各コア５３に電磁コイル５４がボビンを介して嵌め込まれ、このコア５３及び電磁コイル５４により電磁石５９が構成される。このフレーム４３Ａのノーズ４１方向側には、電磁コイル５４への通電を行う電気回路が配置された基板６８が配置されている。
【００３４】
また、ヨーク４４及びサイドヨーク４５には、周方向に複数形成されたそれぞれの凹部に各１本のワイヤレバー４７が収容され、また、これらのワイヤレバー４７の基部が支点軸５２を基準に回転可能に支持される。各ワイヤレバー４７は、先端に記録ワイヤ３５が１本ずつ装着され、また、スプリングホルダ４９に内蔵された復帰コイルばね５８によってノーズ４１と反対の方向へ常時付勢されている。レバーホルダ４６は、例えば、真鍮等の金属で構成されている。
【００３５】
更に、各ワイヤレバー４７には、各コア５３に対向する位置にアーマチュア６０が設けられる。アーマチュア６０は、電磁石５９の電磁コイル５４に通電がなされて、この電磁石５９の周囲に磁気回路が形成されたとき、コア５３が励磁されて発生した吸引力によってコア５３に吸引される。これにより、ワイヤレバー４７は、支点軸５２を中心としてノーズ４１方向に回動し、記録ワイヤ３５をノーズ４１の先端から突出させる。この記録ワイヤ３５の突出により、記録ヘッド１８は、記録ヘッド１８に対向配置されたインクリボン３１のインクをプラテン２１上のシートＳに転写する。
【００３６】
次に、ノーズ４１は、記録ヘッドユニット９０、９１における記録ワイヤ３５の突出動作を含む進退動作を案内するものである。つまり、記録ワイヤ３５の進退動作は、ノーズ４１内に形成された複数の中間ガイド６４及び先端ガイド６５により案内される。ここで、後段記録ヘッドユニット９１の記録ワイヤ３５は、前段記録ヘッドユニット９０の後方から挿通され、ノーズ４１の中間ガイド６４及び先端ガイド６５によって案内されている。
【００３７】
前段記録ヘッドユニット９０及び後段記録ヘッドユニット９１は、ノーズ４１に固定ばね６１で固定されている。この固定ばね６１は、後段記録ヘッドユニット９１のレバーホルダ４６側に配置され、後段記録ヘッドユニット９１及び前段記録ヘッドユニット９０をノーズ４１方向に押圧する押圧部６１Ａと、この押圧部６１Ａからノーズ４１方向に連なって延びる複数のアーム６１Ｂとを備えている。そして固定ばね６１の複数のアーム６１Ｂの先端が、ノーズ４１に形成された引掛部４１Ｂに引っ掛けられることにより、これら前段記録ヘッドユニット９０及び後段記録ヘッドユニット９１が、ノーズ４１に締結されることとなる。
【００３８】
ところで、ヘッド駆動部４０の外周、つまり、フレーム４３Ａ、４３Ｂの外周面５１には、図３及び図４に示すように、放熱器４２が配置されている。この放熱器４２には、略円筒形状の嵌合部としての開口部４２Ａが形成され、この開口部４２Ａにフレーム４３Ａ、４３Ｂを含むヘッド駆動部４０が嵌合される。これによって、ヘッド駆動部４０と、放熱器４２とが一体的に構成されることとなる。ここで、電磁石５９の電磁コイル５４への通電によって電磁コイル５４が発熱するが、放熱器４２は、この発熱によるヘッド駆動部４０の熱を外気に放散させて、このヘッド駆動部４０を冷却するものである。つまり、フレーム４３Ａ、４３Ｂには、発熱体（電磁コイル５４）が接触し、このフレーム４３Ａ、４３Ｂに伝わった熱が放熱器４２を介して放熱される。なお、前段記録ヘッドユニット９０のフレーム４３Ａの熱及び後段記録ヘッドユニット９１のフレーム４３Ｂの熱は、ヘッド駆動部４０の他の金属部分（例えば、レバーホルダ４６や固定ばね６１等）を介して互いに伝熱可能に構成されている。
【００３９】
ノーズ４１は、フレーム４３Ａ、４３Ｂを含むヘッド駆動部４０を、放熱器４２の開口部４２Ａに嵌合したときに放熱器４２に固定ねじ５５（図３）で固定される固定部５６を備えている。つまり、ヘッド駆動部４０を放熱器４２の開口部４２Ａに嵌合し、ノーズ４１の固定部５６を放熱器４２に固定ねじ５５で固定することにより、ヘッド駆動部４０、ノーズ４１及び放熱器４２が一体的に固定されることとなる。
【００４０】
図５は、前段記録ヘッドユニット９０におけるフレーム４３Ａの斜視図である。図６は、図３の記録ヘッド１８の分解斜視図である。図７は、図３のＶＩＩ−ＶＩＩ線に沿う記録ヘッド１８の断面概略図である。
【００４１】
本第１実施形態では、フレーム４３Ａの外周面５１の一部には、図５に示すように、複数（本第１実施形態では２つ）の張り出し部７１が設けられている。更に、放熱器４２の開口部４２Ａには、図６及び図７に示すように、張り出し部７１の端面７１Ａと面接触する段部７２（図６中、斜線部分）が設けられている。図５に示すように、張り出し部７１の端面７１Ａは、フレーム４３Ａ外壁の端面５７と同レベルであり、フレーム４３Ａ外壁の端面５７に連なって張り出している。
【００４２】
ヘッド駆動部４０を放熱器４２の開口部４２Ａに嵌合させた場合には、金属であるフレーム４３Ａの張り出し部７１と、金属である放熱器４２とが直接接触することとなるので、例えば、シリコングリース等を介してフレーム４３Ａの熱を放熱器４２に伝熱させる場合と比較して、記録ヘッド１８のヘッド駆動部４０の熱を効果的に放熱器４２に伝達することができる。従って、記録ヘッド１８の放熱効果が高まるので、記録ヘッド１８の記録速度を向上させることができ、プリンタ１０のスループットが向上する。また、フレーム４３Ｂの熱の一部は、前段記録ヘッドユニット９０のレバーホルダ４６や固定ばね６１等を介してフレーム４３Ａに伝熱する場合がある。このようにフレーム４３Ａに伝熱したフレーム４３Ｂの熱は、放熱器４２の段部７２に直接接触している張り出し部７１を介して放熱器４２に効果的に伝達される。従って、記録ヘッド１８のヘッド駆動部４０の熱を効果的に放熱させることができる。
【００４３】
ここで、本第１実施形態では、少なくともノーズ４１側の前段記録ヘッドユニット９０におけるフレーム４３Ａの外周面５１の一部に張り出し部７１が設けられている。
【００４４】
放熱器４２の嵌合部である開口部４２Ａが略円筒形状であり、ヘッド駆動部４０（つまり、フレーム４３Ａ、４３Ｂ）がこの開口部４２Ａに嵌る略円筒形状であって、記録ヘッド１８を組み立てる際には、まず、ヘッド駆動部４０をノーズ４１に固定ばね６１で固定した後に、ヘッド駆動部４０を開口部４２Ａに嵌合し、ノーズ４１の固定部５６を放熱器４２に固定ねじ５５で固定するものである。従って、ヘッド駆動部４０を開口部４２Ａに嵌合させる際には、先に後段記録ヘッドユニット９１が開口部４２Ａに嵌め込まれ、次いで、前段記録ヘッドユニット９０が開口部４２Ａに嵌め込まれることとなるので、少なくともノーズ４１側の前段記録ヘッドユニット９０におけるフレーム４３Ａの外周面５１の一部に張り出し部７１を設けたのは、仮に、後段記録ヘッドユニット９１のフレーム４３Ｂに張り出し部を設け、前段記録ヘッドユニット９０のフレーム４３Ａに張り出し部を設けない場合は、フレーム４３Ａと放熱器４２の開口部４２Ａ（内周）との隙間が大きくなってしまい、放熱効果が著しく低いものとなってしまうからである。
【００４５】
このように、少なくともノーズ４１側の前段記録ヘッドユニット９０におけるフレーム４３Ａの外周面５１の一部に張り出し部７１が設けられているので、後段記録ヘッドユニットのフレーム４３Ｂの外周と、放熱器４２の内周との間の隙間が広くなってしまう部分が形成されずに、放熱器４２の段部７２と、フレーム４３Ａの張り出し部７１の端面７１Ａとを面接触させることができるので、ヘッド駆動部４０の熱を効果的に放熱器４２に伝熱させることができる。
【００４６】
ここで、フレーム４３Ａの張り出し部７１は、固定ばね６１の複数のアーム６１Ｂを避ける位置に設けられている。つまり、張り出し部７１を、固定ばね６１の複数のアーム６１Ｂを避けた位置に設けなければ、固定ばね６１によりヘッド駆動部４０をノーズ４１に固定するのが困難となってしまうためである。
【００４７】
また、本第１実施形態では、図７を参照して説明すると、フレーム４３Ａの張り出し部７１の端面７１Ａと段部７２とが面接触した場合、ノーズ４１の固定部５６と放熱器４２とが隙間ｄ１を空けて対向するように、段部７２の段差ｄ２が設定されている。つまり、放熱器４２の段部７２に、フレーム４３Ａの張り出し部７１が接触することで、ヘッド駆動部４０及びノーズ４１のヘッド駆動部嵌合方向（フレーム嵌合方向）Ａの位置決めがなされる。仮に、ヘッド駆動部４０及びノーズ４１のヘッド駆動部嵌合方向Ａの位置決めを、ノーズ４１の固定部５６の端面５６Ａと、この端面５６Ａに対向する放熱器４２の対向面４２Ｂとを接触させて行った場合、記録ヘッド１８の各部品（フレーム４３Ａ等）の作成精度のばらつきにより、フレーム４３Ａの張り出し部７１が段部７２に接触しない場合が発生することがあるためである。
【００４８】
従って、本第１実施形態では、フレーム４３Ａの張り出し部７１の端面７１Ａと段部７２とが面接触した場合、ノーズ４１における固定部５６の端面５６Ａと放熱器４２の対向面４２Ｂとが隙間ｄ１を空けて対向するように、段部７２の段差ｄ２が設定されている。これによって、記録ヘッド１８の各部品（フレーム４３Ａ等）の作成精度のばらつきにより、フレームの張り出し部が段部に接触しない場合が発生するのを防止することができ、ヘッド駆動部４０を効果的に放熱させることができる。
【００４９】
更に、本第１実施形態では、図７に示すように、フレーム４３Ａと放熱器４２との接触部分以外の隙間（例えば、放熱器４２とヘッド駆動部４０との隙間、及び放熱器４２とノーズ４１との隙間）に、熱伝導性の良好な部材としてのシリコングリース８０（図７中、斜線部分）が充填されている。これによって、より効果的に記録ヘッド１８のヘッド駆動部４０を放熱させることができる。
【００５０】
［２］第２実施形態
上記第１実施形態では、記録ヘッドユニットが２段の場合について説明したが、本第２実施形態では、上記第１実施形態における記録ヘッドユニットが１段に相当する場合について説明する。この第２実施形態において、上記第１実施形態と同様な部分は、同一の符号を付すことにより説明を省略する。
【００５１】
図８は、図３のＶＩＩ−ＶＩＩ線に沿う第２実施形態の記録ヘッド１８の断面概略図である。
【００５２】
図８に示すように、記録ヘッド１８は、ヘッド駆動部４０を備え、ヘッド駆動部４０は、１つのフレーム４３Ａを備えている。この図８に示すフレーム４３Ａは、第１実施形態における図５に示すフレーム４３Ａと同様の構成である。
【００５３】
図８において、フレーム４３Ａの外周面の一部には、複数（本第２実施形態では２つ）の張り出し部７１が設けられている。更に、放熱器４２の開口部４２Ａには、張り出し部７１の端面７１Ａと面接触する段部７２が設けられている。従って、上記第１実施形態と同様に、金属であるフレーム４３Ａの張り出し部７１と、金属である放熱器４２とが直接接触することとなるので、例えば、シリコングリース等を介してフレーム４３Ａの熱を放熱器４２に伝熱させる場合と比較して、記録ヘッド１８のヘッド駆動部４０の熱を効果的に放熱器４２に伝達することができる。従って、記録ヘッド１８の放熱効果が高まるので、記録ヘッド１８の記録速度を向上させることができ、プリンタ１０のスループットが向上する。
【００５４】
また、本第２実施形態では、上記第１実施形態と同様に、フレーム４３Ａの張り出し部７１の端面７１Ａと段部７２とが面接触した場合、ノーズ４１における固定部５６の端面５６Ａと放熱器４２の対向面４２Ｂとが隙間ｄ１を空けて対向するように、段部７２の段差ｄ２が設定されている。これによって、記録ヘッド１８の各部品（フレーム４３Ａ等）の作成精度のばらつきにより、フレーム４３Ａの張り出し部７１が段部７２に接触しない場合が発生するのを防止することができ、ヘッド駆動部４０を効果的に放熱させることができる。
【００５５】
以上、一実施形態に基づいて本発明を説明したが、本発明は、これに限定されるものではない。
【００５６】
例えば、上記第１実施形態では、前段記録ヘッドユニット９０と後段記録ヘッドユニット９１との２段構成である場合について説明したが、これに限るものではなく、記録ヘッドユニット（つまり、フレーム）が３段以上の多段に重ねて構成される場合であってもよい。この場合、ノーズに最も近いフレームに上述した張り出し部を設けるのが好ましい。
【００５７】
また、上記第１実施形態では、前段記録ヘッドユニット９０と後段記録ヘッドユニット９１との２段構成であり、前段記録ヘッドユニット９０のフレーム４３Ａに張り出し部７１を設けた場合について説明したが、これに限るものではなく、全ての記録ヘッドユニット９０、９１のフレーム４３Ａ、４３Ｂに上述した張り出し部を設けてもよい。この場合、ノーズから最も遠いフレーム４３Ｂが、段部に接触することとなる。
【図面の簡単な説明】
【００５８】
【図１】本発明に係る記録装置の第１実施形態が適用されたプリンタのプリンタ本体を示す斜視図である。
【図２】図１のプリンタ本体を示す側断面図である。
【図３】記録ヘッドを示す斜視図である。
【図４】図３のＩＶ−ＩＶ線に沿う記録ヘッドの断面図である。
【図５】張り出し部を有するフレームを示す斜視図である。
【図６】図３の記録ヘッドの分解斜視図である。
【図７】図３のＶＩＩ−ＶＩＩ線に沿う記録ヘッドの断面概略図である。
【図８】図３のＶＩＩ−ＶＩＩ線に沿う第２実施形態の記録ヘッドの断面概略図である。
【符号の説明】
【００５９】
１０…プリンタ（記録装置）、１８…記録ヘッド、１９…キャリッジ、２１…プラテン、２４…キャリッジ軸、３１…インクリボン、３５…記録ワイヤ、４０…ヘッド駆動部、４１…ノーズ、４２…放熱器、４２Ａ…開口部（嵌合部）、４３Ａ…フレーム、４６…レバーホルダ、４７…ワイヤレバー、５３…コア、５４…電磁コイル、５６…固定部、５９…電磁石、６１…固定ばね、７１…張り出し部、７１Ａ…端面、７２…段部。
【図１】
2005178067.tif 000003
【図２】
2005178067.tif 000004
【図３】
2005178067.tif 000005
【図４】
2005178067.tif 000006
【図５】
2005178067.tif 000007
【図６】
2005178067.tif 000008
【図７】
2005178067.tif 000009
【図８】
2005178067.tif 000010